(57)【特許請求の範囲】
【請求項１】
軸方向に貫通穴を設けた給水軸（２）と、該給水軸の上部が回転可能に取り付けられこれ自体回転しないように設けられた回転軸支持筒（３）と、上記給水軸が上記回転軸支持筒から突出した部分に設けた連結軸部（１３）に嵌合した拡開スリーブ（５）と、上記給水軸に嵌合し上記拡開スリーブの両端に当接した第１及び第２の拡開用環体（７ａ，７ｂ）とからなり、上記回転軸支持筒（３）は、非回転体であるスピンドルカバー（１８）に固定した回り止め板（４）にねじ結合されたものであり、上記拡開スリーブ（５）は、内径が給水軸（２）の連結軸部（１３）に挿入できる緩い嵌め合せができる寸法に形成され、両端から交互に軸方向に沿って複数本のスリット（２２）を設け、さらに外周面に弾性資材で形成された伸縮シール（６）を嵌合したものであり、上記第１及び第２の拡開用環体（７ａ，７ｂ）は、先端が先鋭となるテーパ面を有しており、第１の拡開用環体（７ａ）は上記給水軸（２）の連結軸部（１３）に回転可能に嵌合され、第２の拡開用環体（７ｂ）は上記連結軸部に形成した第２の雄ネジ（１４）にねじ結合されており、さらに上記第１の拡開用環体（７ａ）は上記給水軸（２）に形成した第１の雄ネジ（１１）にねじ結合したナット（８）が当接されており、上記回転軸支持筒（３）の上部に設けた上蓋に給水コック（１７）を設け、上記給水軸（２）に拡開スリーブ（５）及び伸縮シール（６）を嵌合し、当該給水軸（２）を上記第１及び第２の拡開用環体（７ａ，７ｂ）の先端テーパ面を該拡開スリーブ（５）の端部開口に形成したテーパ面に一致させた状態にしてコア・ドリル（９）の内周面に装着し、上記ナット（８）を締め付けることにより上記第１及び第２の拡開用環体（７ａ，７ｂ）を相対移動させ、上記拡開スリーブ（５）を圧縮して拡開するとともに上記伸縮シール（６）をコア・ドリルの内周面に圧着結合した後、上記給水コックに給水用ホースを接続してコア・ドリルの刃先に水を供給するようにしたことを特徴とするコア・ドリル用給水装置。
【請求項２】
拡開スリーブ（５１）は、両端にフランジ（２４）を設け、伸縮シール（６１）を該フランジの間に装着したことを特徴とする請求項１に記載のコア・ドリル用給水装置。
【請求項３】
拡開スリーブ（５２）は、両端の外径部に周方向の溝（２６）を設け、該溝内に伸縮シール（６２）を嵌合したことを特徴とする請求項１に記載のコア・ドリル用給水装置。
【請求項４】
拡開スリーブ（５３）は、スリーブ両端に達しない範囲で、軸方向に沿う複数本のスリット（２７）を設け、第１及び第２の拡開用環体（７１ａ，７１ｂ）は、上記拡開スリーブ（５３）の両端面に当接させたことを特徴とする請求項１に記載のコア・ドリル用給水装置。
【請求項５】
拡開スリーブ（５４）は、スリーブの内径寸法が、両端部の内径寸法よりも中央部の内径寸法が大に形成されていることを特徴とする請求項１又は４に記載のコア・ドリル用給水装置。
【請求項６】
拡開スリーブ（５５）は、スリーブの外周面の両端及び中央部に突条面（３０）を設けたことを特徴とする請求項１又は５に記載のコア・ドリル用給水装置。
【請求項７】
伸縮シールは、円筒形状であることを特徴とする請求項１，２，４，５，６のいずれかに記載のコア・ドリル用給水装置。
【請求項８】
伸縮シールは、断面が角型形状又は丸型形状であることを特徴とする請求項３に記載のコア・ドリル用給水装置。
【請求項９】
伸縮シールは、コア・ドリルの内周面に装着する前の外径寸法が、コア・ドリルの内径寸法よりも若干小さく形成されていることを特徴とする請求項１から８のいずれかに記載のコア・ドリル用給水装置。
【発明の詳細な説明】
【０００１】
【発明の属する技術分野】
本発明は、コンクリート構造物に穴をあけるコア・ドリル装置に取り付ける給水装置に関しており、さらに詳しくは、パイプ状のコア・ドリル端部の内径部に着脱が容易であり、かつ、シールが十分に保持できる給水装置に関している。
【０００２】
【従来の技術】
コア・ドリルを用いてコンクリート構造物に穿孔作業をする際には、通常、潤滑及び切粉の排出を確実に行うために、ドリル刃先に水を供給しながら穿孔作業を行っているので、コア・ドリル装置には水を供給する給水装置が設けられている。
従来におけるコア・ドリル装置の給水装置は、本願発明者が提案した特開２００１−１２１３２８号（第１先行例）、特開２００２−５９３０５号（第２先行例）が知られている。
【０００３】
第１先行例は、同時に複数の穴を穿孔する装置であるが、給水機構（７）が設けられており、該給水機構（７）は、コア・ドリル（５０１）の上端部を開口部に向って大径となるテーパ面（５１０）に形成し、これとは別に設けた筒状の給水栓（７０１）の外周面をテーパ面（７０３）に形成したものを使用し、コア・ドリル（５０１）のテーパ面（５１０）に給水栓（７０１）のテーパ面（７０３）を嵌合して両者を結合していた。しかし、コア・ドリル装置を使用する現場では、コンクリートの切粉が嵌合するテーパ部分に付着することもあり、両テーパ面を確実に密着できない場合もあり、少量ではあるが給水漏れが生ずる問題があった。
また、第２先行例は、コア・ドリルを回転駆動部へ接続するための接続装置であるが、ここでも給水機構（７０）が設けられており、該給水機構（７０）は、給水筐体（７５）の内部に回転可能に設けた回転筒体（７６）にＯリング（７８）を介してコア・ドリル（６０）を結合している。当該装置は、給水機構に組み込むコア・ドリルの入口端部を外面取りして、Ｏリングが入り易く形成し、Ｏリングがコア・ドリル外径を押えた時には、水漏れがないようＯリングは若干潰れた状態にしていた。
しかし、コア・ドリルの入口端部に外面取りを設けても、Ｏリングは給水機構の内側にあり見えないので、給水機構を取り付ける時には、Ｏリングが、コア・ドリルの入口端部の外面取りにスムーズに乗りコア・ドリル内に入るとは限らず、ゆっくり、気を付けて行わないと傷付けることがあった。また、コア・ドリルの交換又は現場の移動等により、給水機構を何度も取り付けたり、取り外したりすると、Ｏリングは傷付くことが多くなり、一度付いた傷は、更に大きくなり水漏れの原因となるものである。さらに又、Ｏリングは使用時間が長くなると復元力が低下するので、Ｏリングの潰し代が小さくなり水漏れの原因となっていた。
【０００４】
【発明が解決しようとする課題】
本発明が解決しようとする課題は、給水装置をコア・ドリルの端部に取り付けた装置において、給水装置の着脱作業が容易にできるとともに、シール部分が確実に保持できるコア・ドリル用給水装置を提供することである。
【０００５】
【課題を解決するための手段】
解決手段の第１は、軸方向に貫通穴を設けた給水軸と、該給水軸の上部が回転可能に取り付けられこれ自体回転しないように設けられた回転軸支持筒と、上記給水軸が上記回転軸支持筒から突出した部分に設けた連結軸部に嵌合した拡開スリーブと、上記給水軸に嵌合し上記拡開スリーブの両端に当接した第１及び第２の拡開用環体とからなり、上記回転軸支持筒は、非回転体であるスピンドルカバーに固定した回り止め板にねじ結合されたものであり、上記拡開スリーブは、内径が給水軸の連結軸部に挿入できる緩い嵌め合せができる寸法に形成され、両端から交互に軸方向に沿って複数本のスリットを設け、さらに外周面に弾性資材で形成された伸縮シールを嵌合したものであり、上記第１及び第２の拡開用環体は、先端が先鋭となるテーパ面を有しており、第１の拡開用環体は上記給水軸の連結軸部に回転可能に嵌合され、第２の拡開用環体は上記連結軸部に形成した第２の雄ネジにねじ結合されており、さらに上記第１の拡開用環体は上記給水軸に形成した第１の雄ネジにねじ結合したナットが当接されており、上記回転軸支持筒の上部に設けた上蓋に給水コックを設け、上記給水軸に拡開スリーブ及び伸縮シールを嵌合し、当該給水軸を上記第１及び第２の拡開用環体の先端テーパ面を該拡開スリーブの端部開口に形成したテーパ面に一致させた状態にしてコア・ドリルの内周面に装着し、上記ナットを締め付けることにより上記第１及び第２の拡開用環体を相対移動させ、上記拡開スリーブを圧縮して拡開するとともに上記伸縮シールをコア・ドリルの内周面に圧着結合した後、上記給水コックに給水用ホースを接続してコア・ドリルの刃先に水を供給するようにしたことを特徴とするものである。
【０００６】
解決手段の第２は、解決手段の第１において、拡開スリーブは、両端にフランジが設けられ、伸縮シールを該フランジの間に装着したことを特徴とするものである。
【０００７】
解決手段の第３は、解決手段の第１において、拡開スリーブは、両端の外径部に周方向の溝が設けられ、該溝内に伸縮シールを嵌合したことを特徴とするものである。
【０００８】
解決手段の第４は、解決手段の第１において、拡開スリーブは、スリーブ両端に達しない範囲で、軸方向に沿う複数本のスリットが設けられ、第１及び第２の拡開用環体は、上記拡開スリーブの両端面に当接させたことを特徴とするものである。
【０００９】
解決手段の第５は、解決手段の第１又は４において、拡開スリーブは、スリーブの内径寸法が、両端部の内径寸法よりも中央部の内径寸法が大に形成されていることを特徴とするものである。
【００１０】
解決手段の第６は、解決手段の第１又は５において、拡開スリーブは、スリーブの外周面の両端及び中央部に突条面を設けたことを特徴とするものである。
【００１１】
解決手段の第７は、解決手段の第１，２，４，５，６のいずれかにおいて、伸縮シールは、円筒形状であることを特徴とするものである。
また、解決手段の第８は、解決手段の第３において、伸縮シールは、断面が角型形状又は丸型形状であることを特徴とするものである。
【００１２】
解決手段の第９は、解決手段の第１から８のいずれかにおいて、伸縮シールは、コア・ドリルの内周面に装着する前の外径寸法が、コア・ドリルの内径寸法よりも若干小さく形成されていることを特徴とするものである。
【００１３】
【発明の実施の形態】
図１は、コア・ドリル装置の正面図であり、本発明のコア・ドリル用給水装置１は、コア・ドリル９の上端部に取り付けられるものである。図２は、コア・ドリル用給水装置１の第１実施例を示しており、（Ａ）は一部断面を含む正面図、（Ｂ）は回り止め板の側面図である。
これらの図において、コア・ドリル用給水装置１は、給水軸２、該給水軸２を回転可能に装着する回転軸支持筒３、該回転軸支持筒３の回転を阻止する回り止め板４、上記給水軸２とコア・ドリル９とを結合する第１の拡開スリーブ５及び弾性資材による第１の伸縮シール６、上記第１の拡開スリーブ５の上下端部に設けられて当該スリーブを拡開する第１及び第２の拡開用環体７ａ，７ｂ並びに上記第１の拡開用環体７ａに当接して上記第１の拡開スリーブ５を拡開するナット８からなる部材により構成されている。
【００１４】
上記給水軸２は、中心部にコア・ドリル刃先の冷却と切粉の排出に十分な給水を行うための貫通穴が軸方向に設けられており、上部に外径軸部１０を設け、中央部外周に第１の雄ネジ１１を形成し、下部に連結軸部１３を設けたものであって、該連結軸部１３はコア・ドリル９を装着する第１の拡開スリーブ５を取り付ける長さを有している。また、上記給水軸２の上部に設けた外径軸部１０が回転軸支持筒３に回転可能に取り付けられ、また、給水軸２の中央部外径に形成した第１の雄ネジ１１にダブルナットを構成するナット８がねじ結合されている。
なお、上記給水軸２は、第１の雄ネジ１１を形成した部分の上部に、ナット８を締め付ける際に用いる二面幅１２を形成し、また、ナット８から突出した連結軸部１３には、断面形状がコーン型を呈する２個の拡開用環体７が嵌合されており、このうち、第１の拡開用環体７ａは連結軸部１３に摺動可能に嵌合され、また、第２の拡開用環体７ｂは当該連結軸部１３の下端部に形成した第２の雄ネジ１４にねじ結合されている。
後に詳しく説明するが、第１の拡開用環体７ａと第２の拡開用環体７ｂとの間に、第１の拡開スリーブ５が設けられており、第１及び第２の拡開用環体７ａ，７ｂの軸方向の相対移動により当該第１の拡開スリーブ５が拡開するようになっている。
【００１５】
上記回転軸支持筒３は、円筒形状に形成されたものであって、内径部にベアリング１５を介して上記給水軸２が回転可能に組み込まれ、該回転軸支持筒３の上部に上蓋が設けられ，下部に下蓋が設けられている。
図中、１６は回転軸支持筒３の上蓋とベアリング１５との間に設けられた防水シールであり、１７は上記上蓋に設けられた給水コックである。なお、回転軸支持筒３の下蓋はベアリング１５の下部を押える構造となっている。
また、上記回転軸支持筒３には、コア・ドリル９の回転による供回りを防止するため、当該回転軸支持筒の側面に、図１を参照して、下端基端部をスピンドルカバー１８に固定した回り止め板４を取り付けている。なお、スピンドルカバー１８はドリルスタンド１００に設けられているものである。
これにより、回転軸支持筒３は非回転体であるスピンドルカバー１８に回り止め板４を介して固定されたので、これ自体は回転しないものであり、したがって、コア・ドリル９と共に回転する給水軸２が当該回転軸支持筒３の内部に回転可能に取り付けられたことになる。
【００１６】
上記回り止め板４は、回転軸支持筒３に取り付ける取付け部分に長手方向に沿う長孔２０が形成されており、蝶ボルト２３を該長孔２０から挿入して回転軸支持筒３にねじ結合している。これにより、コア・ドリル９の長さに応じて、コア・ドリル用給水装置１が取り付けられるようになっている。
【００１７】
上記ナット８は、給水軸２の中央部に設けた第１の雄ネジ１１にねじ結合するものであって、緩み止め機能を持たせるためダブルナット構造としている。なお、ナット８は、給水軸２の連結軸部１３の下部から挿入して第１の雄ネジ１１にねじ結合する。
【００１８】
上記拡開用環体７は、第１の拡開用環体７ａと第２の拡開用環体７ｂの２個からなるものであり、上記給水軸２の連結軸部１３に嵌合されており、このうち、第１の拡開用環体７ａは、当該連結軸部１３に嵌合した第１の拡開スリーブ５の上端と接合し、第２の拡開用環体７ｂは第１の拡開スリーブ５の下端と接合して装着されている。
ここで、第１及び第２の拡開用環体７ａ，７ｂは、連結軸部１３に嵌合した状態で、外径部分が、第１の拡開用環体７ａは第２の拡開用環体７ｂに向かって小径となるテーパ面を有し、第２の拡開用環体７ｂは第１の拡開用環体７ａに向かって小径となるテーパ面を有している。
上記したように、第１及び第２の拡開用環体７ａ，７ｂは、先端が先鋭となるテーパ面を有しており、第１の拡開用環体７ａの先端が第１の拡開スリーブ５の上端開口部に進入し、第２の拡開用環体７ｂの先端が第１の拡開スリーブ５の下端開口部に進入して装着されている。このため、第１及び第２の拡開用環体７ａ，７ｂに軸方向の力を加えると、第１の拡開スリーブ５が圧縮されて周方向に拡開し、第１の伸縮シール６がコア・ドリル９に圧着して給水軸２とコア・ドリル９を結合するようになっている。
また、第１の拡開用環体７ａは、連結軸部１３に対して回転自在であり、かつ、軸方向に対して自由に移動可能であるが、第２の拡開用環体７ｂは、内径部に雌ネジを有しており、当該連結軸部１３に下端部に形成した第２の雄ネジ１４とねじ結合している。
なお、第２の雄ネジ１４には、第２の拡開用環体７ｂをねじ結合できる長さを有しているが、ネジの末端部に不完全ネジ部が設けられており、第２の拡開用環体７ｂは、緩まないように一部を不完全ネジ部まで締め付けている。
【００１９】
図３は、拡開スリーブの第１実施例を示しており、（Ａ）は一部断面を含む正面図、（Ｂ）はａ−ａ断面図である。
図において、第１の拡開スリーブ５は円筒形状であって、両端開口部が大径となるテーパ面２１を有しており、該テーパ面２１は、第１及び第２の拡開用環体７ａ，７ｂのテーパ面と一致させるものである。また、第１の拡開スリーブ５は、内径が給水軸２の連結軸部１３に挿入できる緩い嵌め合せができる寸法としている。なお、第１の拡開スリーブ５には、両端から交互に軸方向に沿って複数本のスリット２２が設けられている。因みに、実施形態におけるスリット２２の本数は６本である。
【００２０】
図２を参照して、第１実施例における第１の伸縮シール６は、弾性資材で形成されており、形状が円筒形であって、第１の拡開スリーブ５に嵌合された状態で組み付けられるものである。なお、第１の伸縮シール６の外径は、コア・ドリル９のドリル内周面１９に装着する前の寸法がコア・ドリル９の内径寸法よりも若干小さく形成されている。このため、第１の伸縮シール６は、コア・ドリル９の内周部に容易に挿入できるようになっている。
なお、第１の伸縮シール６は、伸縮可能で水を通さない材質ならば何でも良く、例えば、ゴム又は樹脂が好ましいものである。
【００２１】
次に、第１実施例によるコア・ドリル用給水装置の組み立て及びコア・ドリルへの組立て手順を説明する。
先ず、給水軸２の上部に設けられた外径軸部１０に、ベアリング１５と防水シール１６を組み付け、次いで上記外径軸部１０に回転軸支持筒３を嵌め込み、さらに該回転軸支持筒３に、給水コック１７を有する上蓋３ａと、ベアリング１５を押える下蓋３ｂとをネジ等を用いて取り付ける。次に、ナット８を連結軸部１３側より給水軸２の第１の雄ネジ１１の奥までねじ込み、次いでネジがない第１の拡開用環体７ａをテーパ面の先端を下向きにして上記連結軸部１３に嵌合し、さらに第１の拡開スリーブ５を、スリーブ外側に、第１の伸縮シール６を装着した状態で連結軸部１３に嵌合する。
第１の拡開スリーブ５は、先に嵌合した第１の拡開用環体７ａに当接するまで嵌め込み、次いで第２の拡開用環体７ｂを、こちらはテーパ面を上向きにして嵌合し、第２の雄ネジ１４にねじ結合する。なお、第２の拡開用環体７ｂは、第２の雄ネジ１４の不完全ネジ部まで締め付け、緩まないように確り固定する。この時、ナット８は第１の拡開スリーブ５が拡張しない程度に仮締め付けにしておく。
次に、上記回り止め板４をスピンドルカバー１８に固定した後、給水軸２に仮組みされた第２の拡開用環体７ｂにコア・ドリル９を嵌め込む。コア・ドリル９の上端部がナット８に当接したら、回り止め板４を蝶ボルト２３により回転軸支持筒３に固定する。
ここで、給水軸２の二面幅１２をスパナ等の工具で押え、コア・ドリル９に接している方のナット８を締め付けると、第１の拡開用環体７ａは下方に押されるが、第２の拡開用環体７ｂは給水軸２に固定されているので、第１及び第２の拡開用環体７ａ，７ｂとの間に軸方向の押圧力が作用して第１の拡開スリーブ５を拡開させる。すなわち、第１及び第２の拡開用環体７ａ，７ｂは、先端部が第１の拡開スリーブ５の内径部に進入して押圧するので、当該第１の拡開スリーブ５が拡開して大径となり、スリーブの外周面に嵌合した第１の伸縮シール６の外周面がコア・ドリル９のドリル内周面１９に圧着して給水軸２とコア・ドリル９とを結合する。
なお、第１の拡開スリーブ５が拡開した時点で、締め付けているナット８のトルクが急上昇するので、ここで締め付けを中止し、他方のナット８も締め付けてダブルナット構造の状態にする。
コア・ドリル用給水装置の組み立てが完了したら、給水コック１７に給水ホースを繋ぎ、水を供給すると、水は給水軸２からコア・ドリル９の内部を通って刃先に達するのでコア・ドリルによる穿孔作業が可能になる。
【００２２】
図４は、拡開スリーブの第２実施例を示している。第２の拡開スリーブ５１は、両端にフランジ２４を有し、該フランジ２４の内側に円筒状で弾性を有する第２の伸縮シール６１を嵌合したものである。
第２実施例による第２の拡開スリーブ５１は、フランジ２４を設けたものであって、第２の伸縮シール６１が、第２の拡開スリーブ５１の外周面から外れることがないようにしたものである。なお、第２の拡開スリーブ５１にスリット２５を設けているが、スリット２５の形状及び本数は第１実施例の場合と同じである。この他、組立て手順及び使用方法についても、第１実施例の場合と同じである。
【００２３】
図５は、拡開スリーブの第３実施例を示している。第３の拡開スリーブ５２は、両端の外径部に周方向の溝２６を設け、該溝２６に断面角型形状で弾性を有する第３の伸縮シール６２を嵌合したものである。
第３実施例による第３の拡開スリーブ５２は、溝２６内に第３の伸縮シール６２を嵌合したものであるから、この場合も第２実施例と同様に、伸縮シールが、第３の拡開スリーブ５２から外れることがないようにしたものである。なお、第３の拡開スリーブ５２にスリット２５を設けているが、スリット２５の形状及び本数は第１実施例の場合と同じである。この他、組立て手順及び使用方法についても、第１実施例の場合と同じである。
【００２４】
図６は、第３実施例における拡開スリーブの変形を示しており、ここでは、第３実施例における断面角型形状を持つ弾性伸縮シールに代り、断面Ｏ型形状を持つ第３の伸縮シール（変形）６３を用いた場合である。
【００２５】
図７は、コア・ドリル用給水装置の第２実施例を示しており、（Ａ）は拡開スリーブを給水軸に組み込んだ状態を示す一部断面の正面図、（Ｂ）は回り止め板の側面図である。  図において、第４の拡開スリーブ５３を拡開する第１及び第２の拡開用環体７１ａ，７１ｂは、図７（Ａ）に示すように、第４の拡開スリーブ５３を上下から挟着できるように２個使用している。このうち、ナット８側に嵌合される第１の拡開用環体７１ａは、給水軸２の連結軸部１３に対して回転自在であり、軸方向に自由に移動可能である。一方、第２の拡開用環体７１ｂは、内径部に雌ネジを有しており、当該給水軸２の連結軸部１３の下端部に設けられた第２の雄ネジ１４にねじ結合させている。
なお、第４の拡開スリーブ５３の外周面に第４の伸縮シール６４が嵌合されており、該第４の伸縮シール６４がコア・ドリル９の内周面に結合されることは、第１実施例の場合と同じである。
【００２６】
図８は、拡開スリーブの第４実施例を示しており、（Ａ）は一部断面を含む正面図、（Ｂ）はｂ−ｂ断面図である。
図において、第４の拡開スリーブ５３は、円筒形状であって、両端部の端壁に達しない範囲で、軸方向に沿う複数本のスリット２７を設けたものである。また、第４の拡開スリーブ５３は、内径が給水軸２の連結軸部１３に挿入できる緩い嵌め合せができる寸法としている。因みに、実施形態におけるスリット２７の本数は６本である。
図７を参照して、第４の拡開スリーブ５３の両端部に当接した第１及び第２の拡開用環体７１ａ，７１ｂの環体端面２８が、第４の拡開スリーブ５３の両端面２９に当接する構造となっており、ナット８の締め付けにより、第１及び第２の拡開用環体７１ａ，７１ｂの環体端面２８が第４の拡開スリーブ５３の両端面２９を軸方向に向って押圧するものである。
第４の拡開スリーブ５３は、内径側に給水軸２の連結軸部１３が挿入されているため、軸心に向う動きは阻止されるが、外径側には何の押えも設けられていないので、第１及び第２の拡開用環体７１ａ，７１ｂの軸方向に向う押圧力によって、当該第４の拡開スリーブ５３は、軸方向の中心部から弓状に外径方向に拡開し、スリーブの外周面に嵌合された第４の伸縮シール６４が膨大し、コア・ドリル９の内径部に圧着して給水軸２とコア・ドリル９が固定される。
【００２７】
図９は、拡開スリーブの第５実施例を示している。第５の拡開スリーブ５４は、両端の内径寸法よりも中央部の内径寸法を大に形成したものであるから、中央部が肉薄に形成されている。なお、第５の拡開スリーブ５４にもスリット（図８のスリット２７と同じ）を設けているが、スリットの形状及び本数は第２実施例の場合と同じである。この他、組立て手順及び使用方法については、第１実施例の場合と同じである。
第５の拡開スリーブ５４の両端面をナット８により締め付けると、第１及び第２の拡開用環体７１ａ，７１ｂの軸方向の押圧力によって、当該第５の拡開スリーブ５４は、外径方向に弓型状に拡開し、第５の伸縮シール６５がコア・ドリル９の内径部に圧着してコア・ドリル９と給水軸２が固定される。
【００２８】
図１０は、拡開スリーブの第６実施例を示している。第６の拡開スリーブ５５は、スリーブ外径の両端部と中央部に突起面３０を設けたものである。なお、第６の拡開スリーブ５５にもスリット（図８のスリット２７と同じ）を設けているが、スリットの形状及び本数は第２実施例の場合と同じである。この他、組立て手順及び使用方法については、第１実施例の場合と同じである。
第６の拡開スリーブ５５の両端部をナット８によりの締め付けると、第１及び第２の拡開用環体７１ａ，７１ｂの軸方向の押圧力によって、当該第６の拡開スリーブ５５は、外径方向に弓型状に拡開し、第６の伸縮シール６６がコア・ドリル９の内径部に圧着してコア・ドリル９と給水軸２が固定される。
なお、第２〜６実施例において、伸縮シール６１〜６６は、コア・ドリル９に組み付ける前の外径寸法が、コア・ドリル９の内径寸法より若干小さく形成されていて、伸縮シール６１〜６６がコア・ドリル９に容易に挿入できることは、第１実施例の場合と同じである。
因みに、実施形態において、コア・ドリル（９）の内径は３８ｍｍであり、伸縮シール（６，６１〜６６）の外径は３６．５〜３７．０ｍｍである。
【００２９】
【発明の効果】
本発明のコア・ドリル用給水装置は、コア・ドリルの端部内周面に直接取り付けるものであって、軸方向に貫通穴を設けた給水軸を有し、該給水軸に、拡開スリーブを嵌合するとともに該拡開スリーブに伸縮シールを嵌合し、上記拡開スリーブの両端部に拡開用環体を当接した状態にして、当該伸縮シール部分にコア・ドリルを嵌合し、拡開用環体を互いに近づく方向に移動させて拡開スリーブを軸方向に押圧して拡開させ、これにより伸縮シールを膨大してコア・ドリル内周面に圧着結合させるものであり、給水軸とコア・ドリルの結合及び拡開スリーブの拡開作用が、いずれも拡開用環体に当接したナットの締め付けにより行えるものであるから、コア・ドリルの着脱が容易であることの効果を奏するものである。
また、伸縮シールは、コア・ドリルの内周面に装着する前の外径寸法が、コア・ドリルの内径寸法よりも若干小さく形成されているので、給水軸とコア・ドリルの結合が容易であることの効果を奏するものである。
さらに、伸縮シールは、拡開スリーブの拡開により、コア・ドリルの内周面に圧着するが、ナットの締め付けにより伸縮シールがコア・ドリルの内周面に圧着すると、ナットを締め付けるトルクが急に上がるので、締め付けの程度が分かりシールが十分に保持できる。また、伸縮シールの復元力が低下した場合であっても、ナットの締め付けによる締め増しが出来るので、確実なシールがなされることの効果を奏するものである。
【図面の簡単な説明】
【図１】  コア・ドリル装置の全体を示す正面図。
【図２】  コア・ドリル用給水装置の第１実施例を示しており、（Ａ）は一部を断面した正面図、（Ｂ）は回り止め板の側面図。
【図３】  拡開スリーブの第１実施例を示しており、（Ａ）は一部を断面した正面図、（Ｂ）はａ−ａ断面図。
【図４】  拡開スリーブの第２実施例と伸縮シールを示す一部断面の正面図。
【図５】  拡開スリーブの第３実施例と伸縮シールを示す一部断面の正面図。
【図６】  拡開スリーブの第３実施例における伸縮シールの変形を示す一部断面の正面図。
【図７】  コア・ドリル用給水装置の第２実施例を示しており、（Ａ）は一部を断面で示す正面図、（Ｂ）は回り止め板の側面図。
【図８】  拡開スリーブの第４実施例を示しており、（Ａ）は一部を断面した正面図、（Ｂ）はａ−ａ断面図。
【図９】  拡開スリーブの第５実施例と伸縮シールを示す一部断面の正面図。
【図１０】  拡開スリーブの第６実施例と伸縮シールを示す一部断面の正面図。
【図１１】  従来技術（第１先行例）のコア・ドリル用給水装置を示す断面図。
【図１２】  従来技術（第２先行例）のコア・ドリル用給水装置を示す断面図。
【符号の説明】
１    コア・ドリル用給水装置
２    給水軸
３    回転軸支持筒
４    回り止め板
５    第１の拡開スリープ
６    第１の伸縮シール
７ａ  第１の拡開用環体
７ｂ  第２の拡開用環体
８    ナット
９    コア・ドリル
１０  外径軸部
１１  第１の雄ネジ
１２  二面幅
１３  連結軸部
１４  第２の雄ネジ
１５  ベアリング
１６  防水シール
１７  給水コック
１８  スピンドルカバー
１９  ドリル内周面
２０  長孔
２１  内側テーパ
２２  スリット
２３  蝶ボルト
２４  フランジ
２５  スリット
２６  溝
２７  スリット
２８  環体端面
２９  端面
３０  突起面
５１  第２の拡開スリープ
５２  第３の拡開スリープ
５３  第４の拡開スリープ
５４  第５の拡開スリープ
５５  第６の拡開スリープ
６１  第２の伸縮シール
６２  第３の伸縮シール
６３  第３の伸縮シール（変形）
６４  第４の伸縮シール
６５  第５の伸縮シール
６６  第６の伸縮シール
７１ａ  第１の拡開用環体
７１ｂ  第２の拡開用環体
１００  ドリルスタンド
【図１】
0004918953.tif 000002
【図２】
0004918953.tif 000003
【図３】
0004918953.tif 000004
【図４】
0004918953.tif 000005
【図５】
0004918953.tif 000006
【図６】
0004918953.tif 000007
【図７】
0004918953.tif 000008
【図８】
0004918953.tif 000009
【図９】
0004918953.tif 000010
【図１０】
0004918953.tif 000011
【図１１】
0004918953.tif 000012
【図１２】
0004918953.tif 000013